(57)【特許請求の範囲】
【請求項１】
ハウジングの胴体部内に駆動源を内蔵し、該ハウジングの前記胴体部から下方に向かって一体に延びるハンドル部の端部にフックを取り付けて成る動力工具において、
ハウジングとは別部材の取付用ベースの幅方向両端に左右の取付部を形成し、該取付部を前記ハンドル部端部の両側部に取り付け、
前記取付用ベースの前記取付部間に架け渡されたブリッジ部に、Ｕ字状のフックを上下方向の軸を中心に回動可能に取り付け、
該フックと前記取付用ベース間の開口距離が異なる複数の回動位置で前記フックを固定可能にしたことを特徴とする動力工具。
【請求項２】
前記フックの回動位置を位置決めロックするためのロック手段を設けたことを特徴とする請求項１記載の動力工具。
【請求項３】
前記取付用ベースの各取付部の端部を直角に曲げて係止爪を形成し、該係止爪を前記ハンドル部端部の側部に形成された係止溝に係止させたことを特徴とする請求項１記載の動力工具。
【請求項４】
前記ハンドル部端部にナットを埋設し、前記取付用ベースに挿通するネジを前記ナットに螺着することによって、取付用ベースを前記ハンドル部端部に取り付けるとともに、前記ナットと前記ネジを前記フックとは別のフックの取り付けに兼用することを特徴とする請求項１〜３の何れか１項に記載の動力工具。
【請求項５】
ハウジングの胴体部内に駆動源を内蔵し、該ハウジングの前記胴体部から下方に向かって一体に延びるハンドル部の端部にフックを取り付けて成る動力工具において、
前記ハウジングのハンドル部端部にハウジングとは別部材の取付用ベースを取り付け、該取付用ベースにＵ字状のフックを上下方向の軸を中心に回動可能に取り付け、該フックと前記取付用ベース間の開口距離が異なる複数の回動位置で前記フックを固定可能にすると共に、
前記フックの回動中心を、前記取付用ベースの幅方向中心に対して左右何れかの方向にオフセットさせたことを特徴とする動力工具。
【発明の詳細な説明】
【技術分野】
【０００１】
本発明は、作業者の腰ベルト等に掛止可能なフックを備えた動力工具に関するものである。
【背景技術】
【０００２】
従来の動力工具の一例としてのインパクトドライバを図１４及び図１５に基づいて説明する。
【０００３】
図１４は従来のインパクトドライバの側面図、図１５は同インパクトドライバの正面図であり、図示のインパクトドライバ１０１は、バッテリ１０２を電源として不図示のモータを駆動し、該モータの回転を不図示の減速機構によって減速して不図示のインパクト機構に伝達し、該インパクト機構から先端工具保持部１０３に回転打撃力を与えてネジ締め等の作業を行う電動工具である。
【０００４】
上記モータと減速機構は、側面視Ｔ字状を成すハウジング１０４の円筒状の胴体部１０４Ａ内に収容されており、該胴体部１０４Ａに当接して配置されたプロテクタ１０５内には前記打撃機構部及びビット等を保持するための前記先端工具保持部１０３等が収容されている。
【０００５】
又、ハウジング１０４の胴体部１０４Ａからはハンドル部１０４Ｂが略直角に下方に向かって一体に延びており、該ハンドル部１０４Ｂの下端部にはバッテリ装着部１０４ａが形成されている。そして、このバッテリ装着部１０４ａには充電可能な前記バッテリ１０２が着脱可能に装着されており、ハンドル部１０４Ｂの前面上部には、バッテリ１０２からモータへの給電をＯＮ／ＯＦＦしてモータを起動／停止させるためのトリガスイッチ１０６が設けられている。
【０００６】
ところで、ハウジング１０４のバッテリ装着部１０４ａの一側部には、板金にてＵ字状に成形されたフック１０８がネジ１１９によって取り付けられており、作業者は、当該インパクトドライバ１０１を使用しない場合等には、自らの腰ベルトにフック１０８を引っ掛けてインパクトドライバ１０１を上下を逆にして吊り下げることができる。
【０００７】
特許文献１には、エア式の釘打機において、グリップ部の端面に被着される専用部品であるインレットキャップにフックをボルトによって回動可能に取り付けるとともに、該フックの回動位置を規定するためのディテント機構を設けた構成が開示されている。
【特許文献１】特許第３８５３５５１号公報
【発明の開示】
【発明が解決しようとする課題】
【０００８】
図１４及び図１５に示した従来のインパクトドライバ１０１に設けられたフック１０８は、作業者の腰ベルト等の厚さが比較的薄いものには容易に引っ掛けることができるが、図１５に示すフック１０８の開口距離（隙間）Ｌが一定で比較的小さいため、該フック１０８を腰ベルト等よりも厚さ（口径）が大きな脚立や単管等に引っ掛けてインパクトドライバ１０１を吊り下げることができないという問題があった。
【０００９】
これに対して、特許文献１において提案されたエア式釘打機の構成によれば、フックをボルトを中心として回動させることによって、該フックの開口距離（隙間）を調整することができるが、フックは空気式釘打機の専用部品であるインレットキャップに取り付けられていたため、汎用性に乏しく、釘打機本体の構成部品であるインレットキャップに加工を施す必要があるという問題があった。
【００１０】
本発明は上記問題に鑑みてなされたもので、その目的とする処は、工具本体に加工を施すことなく、簡単な構成で脚立や単管等の厚さ（口径）の比較的大きなものにもフックを引っ掛けて吊り下げ支持することができる動力工具を提供することにある。
【課題を解決するための手段】
【００１１】
上記目的を達成するため、本発明は、ハウジングの胴体部内に駆動源を内蔵し、該ハウジングの前記胴体部から下方に向かって一体に延びるハンドル部の端部にフックを取り付けて成る動力工具において、ハウジングとは別部材の取付用ベースの幅方向両端に左右の取付部を形成し、該取付部を前記ハンドル部端部の両側部に取り付け、前記取付用ベースの前記取付部間に架け渡されたブリッジ部に、Ｕ字状のフックを上下方向の軸を中心に回動可能に取り付け、該フックと前記取付用ベース間の開口距離が異なる複数の回動位置で前記フックを固定可能にしたことに一つの特徴を有する。
【００１２】
本発明の他の特徴は、前記フックの回動位置を位置決めロックするためのロック手段を設けたことにある。
【００１４】
本発明の他の特徴は、前記取付用ベースの各取付部の端部を直角に曲げて係止爪を形成し、該係止爪を前記ハンドル部端部の側部に形成された係止溝に係止させたことにある。
【００１５】
本発明の他の特徴は、前記ハンドル部端部にナットを埋設し、前記取付用ベースに挿通するネジを前記ナットに螺着することによって、取付用ベースを前記ハンドル部端部に取り付けるとともに、前記ナットと前記ネジを前記フックとは別のフックの取り付けに兼用することにある。
【００１６】
本発明の他の特徴は、前記フックの回動中心を、前記取付用ベースの幅方向中心に対して左右何れかの方向にオフセットさせたことにある。
【発明の効果】
【００１７】
本発明によれば、Ｕ字状のフックを回動可能とし、該フックと取付用ベース間の開口距離（隙間）を可変にしたため、該開口距離（隙間）をフックを引っ掛ける対象物の大きさに応じて調整することによって、脚立や単管等の厚さ（口径）の比較的大きなものにもフックを引っ掛けて動力工具を吊り下げ支持することができる。
【００１８】
本発明によればフックを回動可能に支持する取付用ベースをハウジングとは別部材とし、これをハウジングのハンドル部端部に取り付ける構成を採用したため、動力工具本体に加工を施すことなく、簡単な構成で前記効果を得ることができる。
【００１９】
本発明によれば、フックの回動位置を位置決めロックするためのロック手段を設けたため、フックを引っ掛ける対象物の大きさに応じた適正な回動位置に該フックを位置決めロックすることができる。
【００２０】
本発明によれば、取付用ベースの幅方向両端に形成された左右の取付部をハンドル部端部の両側部に取り付けるようにしたため、取付用ベースをハンドル部端部に確実に取り付けることができるとともに、該取付用ベースの両取付部間に架け渡されたブリッジ部によってフックを確実に支持することができる。このため、例えば高所で使用されることが多い単管等にフックを引っ掛けて動力工具を確実に吊り下げ支持することができ、高い安全性を確保することができる。
【００２１】
本発明によれば、取付用ベースの各取付部の端部に形成された係止爪をハンドル部端部の側部に形成された係止溝に係止させるようにしたため、取付用ベースをハンドル部の端部に正確に位置決めして取り付けることができる。
【００２２】
本発明によれば、取付用ベースを取り付けるためのネジとハンドル部端部に埋設されたナットを別のフックの取り付けに兼用するようにしたため、例えば作業者の腰ベルトにしかフックを係止しないような場合には、従来から使用されているフックに容易に取り替えることができる。
【００２３】
本発明によれば、フックの回動中心を取付用ベースの幅方向中心に対して左右何れかの方向にオフセットさせたため、該フックと取付用ベース間の開口距離（隙間）をフックの回動角度によって多様に変化させることができる。
【発明を実施するための最良の形態】
【００２４】
以下に本発明の実施の形態を添付図面に基づいて説明する。
【００２５】
＜実施の形態１＞
図１は本発明の実施の形態１に係るインパクトドライバの側面図、図２は同インパクトドライバの底面図、図３は同インパクトドライバの背面図、図４は同インパクトドライバに取り付けられた取付用ベースとフックを図３のＡ−Ａ線で切断して示す断面図、図５は同インパクトドライバのバッテリ装着部の破断正面図、図６及び図７は取付用ベースとフックの斜視図、図８（ａ）はフックの側面図、図８（ｂ）は図８（ａ）のＢ−Ｂ線断面図、図９は同インパクトドライバのフックを図１〜図３に示す状態から角度９０°回動させた状態を示す側面図、図１０は同インパクトドライバのフックを図９に示す状態から角度９０°回動させた状態を示す背面図である。
【００２６】
本実施の形態に係るインパクトドライバ１は、図１４及び図１５に示した従来のインパクトドライバ１０１と同様にバッテリ２を電源として不図示のモータを駆動し、該モータの回転を不図示の減速機構によって減速して不図示のインパクト機構に伝達し、該インパクト機構から先端工具保持部３に回転打撃力を与えてネジ締め等の作業を行う電動工具である。
【００２７】
上記モータと減速機構は、側面視Ｔ字状を成すハウジング４の円筒状の胴体部４Ａ内に収容されており、該胴体部４Ａに当接して配置されたプロテクタ５内には前記打撃機構部及びビット等を保持するための前記先端工具保持部３等が収容されている。
【００２８】
又、ハウジング４の胴体部４Ａからはハンドル部４Ｂが略直角に下方に向かって一体に延びており、該ハンドル部４Ｂの下端部にはバッテリ装着部４ａが形成されている。そして、このバッテリ装着部４ａには充電可能な前記バッテリ２が着脱可能に装着されており、ハンドル部４Ｂの前面上部には、バッテリ２から不図示のモータへの給電をＯＮ／ＯＦＦしてモータを起動／停止させるためのトリガスイッチ６が設けられている。
【００２９】
而して、本実施の形態では、ハウジング４のハンドル部４Ｂ下端に形成されたバッテリ装着部４ａに板金製の取付用ベース７が取り付けられており、この取付用ベース７に金属丸棒をＵ字状に折り曲げて成るフック８が水平方向に回動可能に取付支持されている。
【００３０】
ここで、上記取付用ベース７は、図６及び図７に示すように、平面視コの字状に折曲成形されており、その幅方向両端には直角に折り曲げられた取付部７Ａが形成されている。そして、各取付部７Ａには円孔９がそれぞれ貫設され、各取付部７Ａの上端縁は内側に向かって直角に折り曲げられて係止爪７ａを構成している。
【００３１】
又、取付用ベース７の両取付部７Ａ間に架け渡されたブリッジ部の幅方向略中央には矩形平板状の支持部７Ｂが形成されており、この支持部７Ｂの外面には縦方向に長い半円筒状の軸受７ｂが形成されている。そして、この軸受７ｂの上部には切欠き窓状のガイド溝１０が形成されている。
【００３２】
更に、取付用ベース７の支持部７Ａの内面の上下には板バネ１１とホルダ１２がその左右をリベット１３，１４によるカシメによって取り付けられており、これらの板バネ１１とホルダ１２及び前記軸受７ｂによって形成される空間内には前記フック８の軸部８ａが挿通している。従って、フック８は、取付用ベース７に軸部８ａを中心として回動可能に支持されており、その軸部８ａの上部には、取付用ベース７の軸受７ｂに形成された前記ガイド溝１０に係合するピン１５が圧入によって突設されている。そして、このピン１５によってフック８の軸部８ａを中心とする水平方向の回動角が１８０°に規制される。
【００３３】
又、図８に示すように、フック８の軸部８ａ外周の互いに直角を成す３箇所には球面状の溝１６が形成されており、図４に示すように、これらの溝１６の１つには前記ホルダ１２に保持されたボール１７が選択的に係合する。ここで、ボール１７は、前記板バネ１１によってフック８側（図４の左方）に付勢されており、フック８の溝１６と、該溝１６に選択的に係合するボール１７と、該ボール１７を保持するホルダ１２及びボール１７を付勢する板バネ１１は、フック８の回動位置を位置決めロックするためのロック手段を構成している。
【００３４】
他方、図１及び図５に示すように、ハウジング４のハンドル部４Ｂ端部のバッテリ装着部４ａの左右両側部には前後方向（図１の左右方向）に長いスリット状の係止溝１８がそれぞれ形成されており、図６及び図７に示すようにフック８を支持した取付用ベース７のバッテリ装着部４ａへの取り付けに際しては、該取付用ベース７をその左右を広げた状態でバッテリ装着部４ａの両側部に背面側から嵌め込む。そして、取付用ベース７の左右の取付部７Ａに形成された係止爪７ａを図５に示すようにバッテリ装着部４ａの側部に形成された前記係止溝１８に係止して該取付用ベース７をバッテリ装着部４ａに位置決めする。
【００３５】
ところで、図示しないが、ハンドル部４Ｂのバッテリ装着部４ａの両側部にはナットが埋設されており、前述のように取付用ベース７がバッテリ装着部４ａに対して位置決めされると、該取付用ベース７の左右の取付部７Ａに形成された円孔９とナットの位置が合致する。この状態で取付用ベース７の左右の取付部７Ａに形成された円孔９に外側から挿通するネジ１９をバッテリ装着部４ａに埋設されたナットにねじ込めば、図１〜図３に示すように、取付用ベース７とこれに回動可能に支持されたフック８がハンドル部４Ｂのバッテリ装着部４ａに確実に取り付けられるが、本実施の形態では、図３に示すように、フック８の回動中心（軸部８ａの軸中心）Ｏは取付用ベース７の幅方向中心Ｎに対して右側にεだけオフセットされている。
【００３６】
而して、インパクトドライバ１は、これを使用しないときにはフック８を作業者の腰バンドや脚立或いは単管等に引っ掛けて上下を逆にして吊り下げ支持されるが、図１〜図３に示すようにフック８を取付用ベース７と平行となるよう左側に倒した場合には、該フック８と取付用ベース７間の開口距離（隙間）Ｌ１は約５ｍｍと比較的小さく設定されている。従って、この状態では、フック８を作業者の腰バンド等の厚さの薄いものに引っ掛けてインパクトドライバ１を吊り下げ支持することができる。尚、このとき、ロック手段を構成するボール１７が図４に示すようにフック８の溝１６の１つに係合してフック８の回動をロックしている。
【００３７】
図１〜図３に示す状態からフック８を次の溝１６がボール１７に係合するまで角度９０°だけ回すと、図９に示すように、該フック８は取付用ベース７に対して垂直状態を保ち、このフック８と取付用ベース７間の開口距離（隙間）Ｌ２は約５０ｍｍの最大値を示す。従って、この状態では、フック８を脚立や単管等の厚さ（口径）が大きなものに引っ掛けてインパクトドライバ１を吊り下げ支持することができる。そして、この場合もボール１７がフック８の溝１６の１つに係合しているため、フック８の回動がロックされている。
【００３８】
又、図９に示す状態からフック８を次の溝１６がボール１７に係合するまで角度９０°だけ回動させ、図１０に示すように該フック８が取付用ベース７と平行となるよう左側に倒すと、前述のようにフック８は回動中心Ｏが取付用ベース７の幅方向中心Ｎに対して右側にεだけオフセットされているため、該フック８と取付用ベース７間の開口距離（隙間）Ｌ３は図３に示したＬ１と図９にしたＬ２の中間の大きさである約２５ｍｍに設定される（Ｌ１＜Ｌ３＜Ｌ２）。従って、この状態では、フック８を引っ掛けることができる大きさのもの（厚さ(口径)が約２５ｍｍ以下のもの）にインパクトドライバ１を吊り下げ支持することができる。
【００３９】
以上のように、本実施の形態では、Ｕ字状のフック８を回動可能とし、該フック８と取付用ベース７間の開口距離（隙間）をＬ１，Ｌ２，Ｌ３の３段階に調整可能としたため、フック８を引っ掛ける対象物の大きさに応じて開口距離（隙間）をＬ１，Ｌ２，Ｌ３の中から選択することによって、厚さの薄い腰ベルト等から脚立や短管等の厚さ（口径）の比較的大きなものに亘ってフック８を引っ掛けてインパクトドライバ１を吊り下げ支持することができる。
【００４０】
そして、フック８を回動可能に支持する取付用ベース７をハウジング４とは別部材とし、これをハウジング４のハンドル部４Ｂ端部のバッテリ装着部４ａに取り付ける構成を採用したため、インパクトドライバ１の本体に加工を施すことなく、簡単な構成で前記効果を得ることができる。
【００４１】
又、本実施の形態では、フック８の回動位置を位置決めロックするためのロック手段をボール１７や板バネ１１等によって構成したため、フック８を引っ掛ける対象物の大きさに応じた適正な回動位置に該フック８を位置決めロックすることができる。
【００４２】
更に、本実施の形態では、取付用ベース７の幅方向両端に形成された左右の取付部７Ａをハンドル部４Ｂ端部のバッテリ装着部４ａの両側部に取り付けるようにしたため、取付用ベース７をバッテリ装着部４ａに確実に取り付けることができるとともに、該取付用ベース７の両取付部７Ａ間に架け渡されたブリッジ部によってフック８を確実に支持することができる。このため、例えば高所で使用されることが多い単管等にフック８を引っ掛けてインパクトドライバ１を確実に吊り下げ支持することができ、高い安全性を確保することができる。
【００４３】
又、本実施の形態では、取付用ベース７の各取付部７Ａの端部に形成された係止爪７ａをハンドル部４Ｂ端部のバッテリ装着部４ａの側部に形成された係止溝１８に係止させるようにしたため、取付用ベース７をハンドル部４Ｂのバッテリ装着部４ａに正確に位置決めして取り付けることができる。
【００４４】
更に、本実施の形態では、フック８の回動中心Ｏを取付用ベース７の幅方向中心Ｎに対して右側にεだけオフセットさせたため、該フック８と取付用ベース７間の開口距離（隙間）をフック８の回動角度によってＬ１，Ｌ２，Ｌ３（Ｌ１＜Ｌ３＜Ｌ２）の３段階に変化させることができる。
【００４５】
ところで、取付用ベース７を取り付けるためのネジ１９とハンドル部４Ｂ端部のバッテリ装着部４ａに埋設された不図示のナットは図１４及び図１５に示した従来のフック１０８の取り付けに兼用することができ、例えば作業者の腰ベルトにしかインパクトドライバ１を吊り下げないような場合には、従来から使用されているフック１０８に容易に取り替えることができる。
【００４６】
＜実施の形態２＞
次に、本発明の実施の形態２を図１１〜図１３に基づいて説明する。
【００４７】
図１１は本発明の実施の形態２に係るインパクトドライバの背面図、図１２は同インパクトドライバのフックを図１１に示す状態から角度９０°回動させた状態を示す側面図、図１３は同インパクトドライバのフックを図１２に示す状態から角度９０°回動させた状態を示す背面図であり、これらの図においては図１〜図１０に示したものと同一要素には同一符号を付しており、以下、それらについての再度の説明は省略する。
【００４８】
本実施の形態では、フック８の回動中心Ｏを取付用ベース７の幅方向中心Ｎに一致させたことを特徴としており、他の構成は前記実施の形態１のそれと同じである。
【００４９】
従って、本実施の形態では、図１１に示すようにフック８を取付用ベース７と平行となるよう左側に倒した場合と、図１３に示すようにフック８を取付用ベース７と平行となるよう右側に倒した場合の何れにおいてもフック８と取付用ベース７間に同じ大きさの比較的小さな開口距離（隙間）Ｌ１（約５ｍｍ）を設定することができる。このため、作業者が右利きであっても左利きであっても、自らの腰ベルトにフック８を容易に引っ掛けてインパクトドライバ１を吊り下げ支持することができて便利である。
【００５０】
又、フック８を脚立や単管等の厚さ（口径）が大きなものに引っ掛ける場合には、図１１又は図１３の状態にあるフック８を角度９０°だけ回動させて図１２に示すように取付用ベース７に対して直角に起立させれば、該フック８と取付用ベース７間に大きな開口距離（隙間）Ｌ２（約５０ｍｍ）を確保することができ、フック８を脚立や単管等に引っ掛けてインパクトドライバ１を吊り下げ支持することができる。その他、本実施の形態においても、前記実施の形態１と同様の効果を得ることができる。
【００５１】
尚、以上は本発明を特に電動式のインパクトドライバに適用した形態について説明したが、本発明は、駆動源としてモータ以外の圧縮エアを使用する空気工具やエンジンを使用するエンジン工具等、他の任意の動力工具に対しても同様に適用可能であることは勿論である。
【図面の簡単な説明】
【００５２】
【図１】本発明の実施の形態１に係るインパクトドライバの側面図である。
【図２】本発明の実施の形態１に係るインパクトドライバの底面図である。
【図３】本発明の実施の形態１に係るインパクトドライバの背面図である。
【図４】本発明の実施の形態１に係るインパクトドライバに取り付けられた取付用ベースとフックを図３のＡ−Ａ線で切断して示す断面図である。
【図５】本発明の実施の形態１に係るインパクトドライバのバッテリ装着部の破断正面図である。
【図６】取付用ベースとフックの斜視図である。
【図７】取付用ベースとフックの斜視図である。
【図８】（ａ）はフックの側面図、（ｂ）は（ａ）のＢ−Ｂ線断面図である。
【図９】本発明の実施の形態１に係るインパクトドライバのフックを図１〜図３に示す状態から角度９０°回動させた状態を示す側面図である。
【図１０】本発明の実施の形態１に係るインパクトドライバのフックを図９に示す状態から角度９０°回動させた状態を示す背面図である。
【図１１】本発明の実施の形態２に係るインパクトドライバの背面図である。
【図１２】本発明の実施の形態２に係るインパクトドライバのフックを図１１に示す状態から角度９０°回動させた状態を示す側面図である。
【図１３】本発明の実施の形態２に係るインパクトドライバのフックを図１２に示す状態から角度９０°回動させた状態を示す背面図である。
【図１４】従来のインパクトドライバの側面図である。
【図１５】従来のインパクトドライバの正面図である。
【符号の説明】
【００５３】
１          インパクトドライバ（動力工具）
２          バッテリ
３          先端工具保持部
４          ハウジング
４Ａ        ハウジングの胴体部
４Ｂ        ハウジングのハンドル部
４ａ        ハンドル部のバッテリ装着部
５          プロテクタ
６          トリガスイッチ
７          取付用ベース
７Ａ        取付用ベースの取付部
７Ｂ        取付用ベースの支持部
７ａ        取付部の係止爪
７ｂ        支持部の軸受
８          フック
８ａ        フックの軸部
９          円孔
１０        ガイド溝
１１        板バネ
１２        ホルダ
１３，１４  リベット
１５        ピン
１６        フックの溝
１７        ボール
１８        バッテリ装着部の係止溝
１９        ネジ
Ｌ１〜Ｌ３  フックと取付用ベース間の空間距離（隙間）
Ｎ          取付用ベースの幅方向中心
Ｏ          フックの回動中心
ε          フックの回動中心のオフセット量
【図１】
0005360345.tif 000002
【図２】
0005360345.tif 000003
【図３】
0005360345.tif 000004
【図４】
0005360345.tif 000005
【図５】
0005360345.tif 000006
【図６】
0005360345.tif 000007
【図７】
0005360345.tif 000008
【図８】
0005360345.tif 000009
【図９】
0005360345.tif 000010
【図１０】
0005360345.tif 000011
【図１１】
0005360345.tif 000012
【図１２】
0005360345.tif 000013
【図１３】
0005360345.tif 000014
【図１４】
0005360345.tif 000015
【図１５】
0005360345.tif 000016